(57)【特許請求の範囲】
【請求項１】
車両に搭載されるドライブレコーダーであって、
データを記憶する記憶部と、
前記ドライブレコーダーの外部にデータを送信する通信部と、
前記車両に搭載された撮影部によって撮影された動画であって画質が低下させられた低画質動画を生成する低画質動画生成手段と、
前記撮影部によって撮影された動画であって前記低画質動画より画質が高い高画質動画を前記記憶部に保存用として記憶させる高画質動画記憶手段と、
前記低画質動画生成手段によって生成された前記低画質動画を前記通信部によって前記ドライブレコーダーの外部に送信するデータ送信手段と、
前記ドライブレコーダーの電源を制御する電源制御手段とを備え、
前記データ送信手段によって前記ドライブレコーダーの外部に送信される前記低画質動画は、前記高画質動画記憶手段によって前記記憶部に保存用として記憶させられる前記高画質動画と、前記撮影部による撮影の時期が同一であり、
前記データ送信手段は、前記低画質動画を近距離無線通信によって前記車両の外部に送信し、
前記電源制御手段は、前記車両のアクセサリー電源が落とされた場合に、前記データ送信手段によって送信されるべき前記低画質動画が未だ送信されていないとき、前記ドライブレコーダーの電源を落とすことを特徴とするドライブレコーダー。
【請求項２】
車両に搭載されるドライブレコーダーであって、
データを記憶する記憶部と、
前記ドライブレコーダーの外部にデータを送信する通信部と、
前記車両に搭載された撮影部によって撮影された動画であって画質が低下させられた低画質動画を生成する低画質動画生成手段と、
前記撮影部によって撮影された動画であって前記低画質動画より画質が高い高画質動画を前記記憶部に保存用として記憶させる高画質動画記憶手段と、
前記低画質動画生成手段によって生成された前記低画質動画を前記通信部によって前記ドライブレコーダーの外部に送信するデータ送信手段とを備え、
前記データ送信手段によって前記ドライブレコーダーの外部に送信される前記低画質動画と、前記高画質動画記憶手段によって前記記憶部に保存用として記憶させられる前記高画質動画とは、前記撮影部による撮影の時期が互いに同一であることを特徴とするドライブレコーダー。
【請求項３】
前記データ送信手段は、前記低画質動画を近距離無線通信によって前記車両の外部に送信することを特徴とする請求項２に記載のドライブレコーダー。
【請求項４】
前記ドライブレコーダーの電源を制御する電源制御手段を備え、
前記電源制御手段は、前記車両のアクセサリー電源が落とされた場合に、前記データ送信手段によって送信されるべき前記低画質動画が未だ送信されていないとき、前記ドライブレコーダーの電源を落とすことを待機することを特徴とする請求項３に記載のドライブレコーダー。
【請求項５】
前記電源制御手段は、前記ドライブレコーダーの電源を落とすことを待機した後、前記ドライブレコーダーの電源を落とす命令を前記車両の外部から受信した場合に、前記ドライブレコーダーの電源を落とすことを特徴とする請求項１または請求項４に記載のドライブレコーダー。
【請求項６】
前記低画質動画生成手段によって生成された前記低画質動画を前記記憶部に保存用として記憶させる低画質動画記憶手段を備え、
前記低画質動画記憶手段によって前記記憶部に保存用として記憶させられる前記低画質動画は、前記高画質動画記憶手段によって前記記憶部に保存用として記憶させられる前記高画質動画と、前記撮影部による撮影の時期が同一であることを特徴とする請求項１から請求項５までのいずれかに記載のドライブレコーダー。
【請求項７】
前記低画質動画生成手段は、前記高画質動画よりフレームレートが低い前記低画質動画を生成することを特徴とする請求項１から請求項６までのいずれかに記載のドライブレコーダー。
【請求項８】
前記車両の運転状況を判定する運転状況判定手段を備え、
前記データ送信手段は、前記運転状況判定手段によって特定の運転状況であると判定された場合の前記低画質動画を送信することを特徴とする請求項１から請求項７までの何れかに記載のドライブレコーダー。
【請求項９】
前記撮影部は、前記車両の外部の動画のみでなく、前記車両の運転者の動画も撮影することを特徴とする請求項１から請求項８までの何れかに記載のドライブレコーダー。
【請求項１０】
前記低画質動画生成手段は、前記記憶部に記憶されている前記高画質動画に基づいてではなく、前記撮影部によって撮影された動画に基づいて前記低画質動画を生成することを特徴とする請求項１から請求項９までの何れかに記載のドライブレコーダー。
【請求項１１】
請求項１から請求項１０までの何れかに記載のドライブレコーダーと、
前記低画質動画を前記車両の外部に送信するための低画質動画送信プログラムを実行する携帯機器とを備え、
前記低画質動画送信プログラムは、
前記データ送信手段によって送信された前記低画質動画を移動通信システム以外の方法によって前記車両内で受信する携帯機器側受信手段、および、
前記携帯機器側受信手段によって受信された前記低画質動画を前記移動通信システムによって前記車両の外部に送信する携帯機器側送信手段として前記携帯機器を機能させることを特徴とするドライブレコーダーシステム。
【発明の詳細な説明】
【技術分野】
【０００１】
本発明は、車両に搭載された撮影部によって撮影された動画を記憶するドライブレコーダーおよびドライブレコーダーシステムに関する。
【背景技術】
【０００２】
従来、車両に搭載された撮影部によって撮影された動画を記憶するドライブレコーダーとして、データを記憶する記憶部と、ドライブレコーダーの外部のサーバーにデータを送信する通信部とを備え、撮影部によって撮影された静止画および動画を記憶部に記憶させるとともに、静止画を通信部によってサーバーに送信した後、動画を通信部によってサーバーに送信するものが知られている（例えば、特許文献１参照。）。
【先行技術文献】
【特許文献】
【０００３】
【特許文献１】特開２００９−０３２１４３号公報
【発明の概要】
【発明が解決しようとする課題】
【０００４】
しかしながら、従来のドライブレコーダーにおいては、撮影部によって撮影された動画をサーバーに送信する場合に、送信するデータが動画であるためにデータのサイズが大きいので、現在の通信環境における通信速度では動画をサーバーに送信することが困難であるという問題がある。特に、従来のドライブレコーダーが複数の車両のそれぞれに搭載されている場合には、複数の車両のそれぞれに搭載されたドライブレコーダーから送信された動画をサーバーが同時に受信するときに、サーバーが同時に受信するデータの合計のサイズが非常に大きくなるので、ドライブレコーダーからサーバーに動画を送信することが更に困難であるという問題がある。
【０００５】
なお、従来のドライブレコーダーにおいては、撮影部によって撮影された静止画をサーバーに送信する場合には、送信するデータが静止画であるためにデータのサイズが小さいものの、静止画では車両の運転状況の確認が困難であるという問題がある。
【０００６】
そこで、本発明は、高画質の動画を記憶部に記憶させることができるとともに、車両の運転状況の確認のための動画を外部に送信する信頼性を従来より向上することができるドライブレコーダーおよびドライブレコーダーシステムを提供することを目的とする。
【課題を解決するための手段】
【０００７】
本発明のドライブレコーダーは、車両に搭載されるドライブレコーダーであって、データを記憶する記憶部と、前記ドライブレコーダーの外部にデータを送信する通信部と、前記車両に搭載された撮影部によって撮影された動画であって画質が低下させられた低画質動画を生成する低画質動画生成手段と、前記撮影部によって撮影された動画であって前記低画質動画より画質が高い高画質動画を前記記憶部に記憶させる高画質動画記憶手段と、前記低画質動画生成手段によって生成された前記低画質動画を前記通信部によって前記ドライブレコーダーの外部に送信するデータ送信手段とを備えることを特徴とする。
【０００８】
この構成により、本発明のドライブレコーダーは、記憶部に記憶させる高画質動画よりデータのサイズが小さい低画質動画を外部に送信するので、高画質の動画を記憶部に記憶させることができるとともに、車両の運転状況の確認のための動画を外部に送信する信頼性を従来より向上することができる。
【０００９】
また、本発明のドライブレコーダーにおいて、前記低画質動画生成手段は、前記高画質動画よりフレームレートが低い前記低画質動画を生成しても良い。
【００１０】
この構成により、本発明のドライブレコーダーは、低画質動画のデータのサイズを高画質動画のデータのサイズより更に小さくすることができるので、車両の運転状況の確認のための動画を外部に送信する信頼性を更に向上することができる。
【００１１】
また、本発明のドライブレコーダーは、前記車両の運転状況を判定する運転状況判定手段を備え、前記データ送信手段は、前記運転状況判定手段によって特定の運転状況であると判定された場合の前記低画質動画を送信しても良い。
【００１２】
この構成により、本発明のドライブレコーダーは、車両の運転状況が確認されるべき低画質動画を適切に外部に送信することができるので、外部に送信する低画質動画による車両の運転状況の確認を容易化することができる。
【００１３】
また、本発明のドライブレコーダーにおいて、前記撮影部は、前記車両の外部の動画のみでなく、前記車両の運転者の動画も撮影しても良い。
【００１４】
この構成により、本発明のドライブレコーダーは、車両の外部の動画のみでなく、車両の運転者の動画も外部に送信するので、車両の運転状況の確認を車両の運転者の動画によって容易化することができる。
【００１５】
また、本発明のドライブレコーダーにおいて、前記低画質動画生成手段は、前記記憶部に記憶されている前記高画質動画に基づいてではなく、前記撮影部によって撮影された動画に基づいて前記低画質動画を生成しても良い。
【００１６】
この構成により、本発明のドライブレコーダーは、低画質動画を生成するために高画質動画を記憶部から読み出して画質を変換する必要がないので、高画質動画を記憶部から読み出して画質の変換によって低画質動画を生成する場合と比較して、低機能な構成で実現されることができる。したがって、本発明のドライブレコーダーは、製造コストや装置サイズを抑えることができる。
【００１７】
また、本発明のドライブレコーダーは、前記低画質動画生成手段によって生成された前記低画質動画を前記記憶部に記憶させる低画質動画記憶手段を備えても良い。
【００１８】
この構成により、本発明のドライブレコーダーは、高画質動画のみでなく、低画質動画も記憶部に記憶させるので、低画質動画を高画質動画のバックアップとして活用することができる。
【００１９】
また、本発明のドライブレコーダーにおいて、前記データ送信手段は、前記低画質動画を近距離無線通信によって前記車両の外部に送信しても良い。
【００２０】
この構成により、本発明のドライブレコーダーは、移動通信システムを利用する必要がないので、移動通信システムの利用料がランニングコストとして必要となることを防止することができる。
【００２１】
また、本発明のドライブレコーダーは、前記ドライブレコーダーの電源を制御する電源制御手段を備え、前記電源制御手段は、前記車両のアクセサリー電源が落とされた場合に、前記データ送信手段によって送信されるべき前記低画質動画が未だ送信されていないとき、前記ドライブレコーダーの電源を落とすことを待機しても良い。
【００２２】
この構成により、本発明のドライブレコーダーは、複数の車両のそれぞれに搭載されたドライブレコーダーから同時に低画質動画が送信される場合など、通信の混雑などの原因によって低画質動画の送信がすぐには完了しない場合に、低画質動画の送信の完了前に車両のアクセサリー電源が落とされたとしても、ドライブレコーダー自身の電源を落とさないので、低画質動画の送信を完了させることができる。したがって、本発明のドライブレコーダーは、低画質動画を外部に送信する信頼性を向上することができる。
【００２３】
本発明のドライブレコーダーシステムは、上述のドライブレコーダーと、前記低画質動画を前記車両の外部に送信するための低画質動画送信プログラムを実行する携帯機器とを備え、前記低画質動画送信プログラムは、前記データ送信手段によって送信された前記低画質動画を移動通信システム以外の方法によって前記車両内で受信する携帯機器側受信手段、および、前記携帯機器側受信手段によって受信された前記低画質動画を前記移動通信システムによって前記車両の外部に送信する携帯機器側送信手段として前記携帯機器を機能させることを特徴とする。
【００２４】
この構成により、本発明のドライブレコーダーシステムは、ドライブレコーダーのため以外の目的でも移動通信システムを利用する携帯機器が存在する場合に、ドライブレコーダー専用に移動通信システムの利用を通信会社と契約する必要がないので、ドライブレコーダー専用の移動通信システムの利用料がランニングコストとして必要となることを防止することができる。
【発明の効果】
【００２５】
本発明のドライブレコーダーおよびドライブレコーダーシステムは、高画質の動画を記憶部に記憶させることができるとともに、車両の運転状況の確認のための動画を外部に送信する信頼性を従来より向上することができる。
【図面の簡単な説明】
【００２６】
【図１】本発明の第１の実施の形態に係る運転状況記録システムのブロック図である。
【図２】図１に示すドライブレコーダーのブロック図である。
【図３】一時的な動画を記憶する場合の図２に示すドライブレコーダーの動作の一例を説明する図である。
【図４】保存用の動画を記憶する場合の図２に示すドライブレコーダーの動作のフローチャートである。
【図５】外部にデータを送信する場合の図２に示すドライブレコーダーの動作のフローチャートである。
【図６】本発明の第２の実施の形態に係る運転状況記録システムのブロック図である。
【図７】図６に示すドライブレコーダーのブロック図である。
【図８】ドライブレコーダーが外部にデータを送信する場合の図６に示す運転状況記録システムの動作のシーケンス図である。
【図９】本発明の第３の実施の形態に係る運転状況記録システムのブロック図である。
【図１０】図９に示すドライブレコーダーのブロック図である。
【図１１】図９に示す携帯機器のブロック図である。
【発明を実施するための形態】
【００２７】
以下、本発明の実施の形態について、図面を用いて説明する。
【００２８】
（第１の実施の形態）
まず、本発明の第１の実施の形態に係る運転状況記録システムの構成について説明する。
【００２９】
図１は、本実施の形態に係る運転状況記録システム１０のブロック図である。
【００３０】
図１に示すように、運転状況記録システム１０は、自動車輸送業の会社などの会社１１に設置されているサーバー２０と、会社１１に所属しているタクシー、バス、トラックなどの業務用の車両１２に搭載されているドライブレコーダー３０とを備えている。なお、運転状況記録システム１０は、車両１２と同様な車両を多数備えている。それらの車両のそれぞれには、ドライブレコーダー３０と同様なドライブレコーダーが搭載されている。
【００３１】
サーバー２０は、ＰＣ（Ｐｅｒｓｏｎａｌ  Ｃｏｍｐｕｔｅｒ）などのコンピューターによって構成されている。
【００３２】
図２は、ドライブレコーダー３０のブロック図である。
【００３３】
図２に示すように、ドライブレコーダー３０は、撮影部としてのカメラ３１および３２と、加えられた衝撃の大きさを検知するＧセンサー３３と、車両１２（図１参照。）の速度のデータ、ブレーキのデータ、ウィンカーのデータなどの各種のデータを車両１２から取得するためのインターフェイス３４と、ドライブレコーダー３０の外部にデータを送信する通信部としての３Ｇモジュール３５と、データを記憶する記憶部３６と、ドライブレコーダー３０全体を制御する制御部３７とを備えている。
【００３４】
カメラ３１は、車両１２の外部の前方の動画を撮影する装置である。カメラ３２は、車両１２の内部の運転者を含む動画を撮影する装置である。カメラ３２によって撮影される動画は、車両１２の内部の運転者を含んでいれば、例えば、運転者以外の車両１２の内部の様子や、車両１２の外部の後方の様子をも含む動画であっても良い。例えば、車両１２がタクシーやバスである場合には、車両１２の内部の動画がカメラ３２によって撮影されているとき、運行管理者などの利用者は、車両１２の内部において運転者と、顧客との間で発生したトラブルの様子を、カメラ３２によって撮影された動画によって確認することができる。また、車両１２の外部の後方の動画がカメラ３２によって撮影されている場合には、運行管理者などの利用者は、例えば、車両１２が後方から他の車両によって追突された様子や、自転車または歩行者に対する車両１２による巻き込み事故の様子を、カメラ３２によって撮影された動画によって確認することができる。なお、カメラ３１および３２は、それぞれ音声を含めた動画を撮影することができる。以下、動画には、音声も含まれているものとして説明する。
【００３５】
３Ｇモジュール３５は、３Ｇ（第３世代移動通信システム）によってデータの送受信を実行する装置である。なお、ドライブレコーダー３０は、３Ｇモジュール３５によって使用される電話番号を特定するための固有のＩＤ番号が記録されているＳＩＭ（Ｓｕｂｓｃｒｉｂｅｒ  Ｉｄｅｎｔｉｔｙ  Ｍｏｄｕｌｅ）カードが挿入されるために、図示していないＳＩＭカードスロットを備えている。
【００３６】
記憶部３６は、例えば、ＳＤカード、コンパクトフラッシュ（登録商標）、オンボードフラッシュなどの記憶デバイスの１つまたは複数によって構成されている。例えば、記憶部３６の容量は、１２８ＧＢである。
【００３７】
記憶部３６は、カメラ３１またはカメラ３２によって撮影された動画であって画質が低下させられた低画質動画と、カメラ３１またはカメラ３２によって撮影された動画であって低画質動画より画質が高い高画質動画とを記憶することができる。例えば、記憶部３６は、カメラ３１によって撮影された動画であって、それぞれ低画質動画、高画質動画である一時的低画質動画３６ａ、一時的高画質動画３６ｂと、カメラ３２によって撮影された動画であって、それぞれ低画質動画、高画質動画である一時的低画質動画３６ｃ、一時的高画質動画３６ｄとを記憶することができる。一時的低画質動画３６ａ、一時的高画質動画３６ｂ、一時的低画質動画３６ｃおよび一時的高画質動画３６ｄは、それぞれ一時的な動画である。また、記憶部３６は、カメラ３１によって撮影された動画であって、それぞれ低画質動画、高画質動画である保存用低画質動画３６ｅ、保存用高画質動画３６ｆと、カメラ３２によって撮影された動画であって、それぞれ低画質動画、高画質動画である保存用低画質動画３６ｇ、保存用高画質動画３６ｈとを、それぞれ複数記憶することができる。保存用低画質動画３６ｅ、保存用高画質動画３６ｆ、保存用低画質動画３６ｇおよび保存用高画質動画３６ｈは、それぞれ保存用の動画である。
【００３８】
ここで、低画質動画とは、例えば、ＣＩＦ（Ｃｏｍｍｏｎ  Ｉｎｔｅｒｍｅｄｉａｔｅ  Ｆｏｒｍａｔ）の動画、ＱＣＩＦ（Ｑｕａｒｔｅｒ  Ｃｏｍｍｏｎ  Ｉｎｔｅｒｍｅｄｉａｔｅ  Ｆｏｒｍａｔ）の動画、または、ＱＶＧＡ（Ｑｕａｒｔｅｒ  Ｖｉｄｅｏ  Ｇｒａｐｈｉｃｓ  Ａｒｒａｙ）の動画である。また、高画質動画とは、例えば、ＦＨＤ（Ｆｕｌｌ  Ｈｉｇｈ  Ｄｅｆｉｎｉｔｉｏｎ）の動画、ＨＤ（Ｈｉｇｈ  Ｄｅｆｉｎｉｔｉｏｎ）の動画、または、ＷＶＧＡ（Ｗｉｄｅ  Ｖｉｄｅｏ  Ｇｒａｐｈｉｃｓ  Ａｒｒａｙ）の動画である。例えば、高画質動画は、映っている車両のナンバープレート上のナンバーを視認することが可能な程度の高画質であると好ましい。
【００３９】
なお、記憶部３６は、複数の記憶デバイスによって構成されている場合、低画質動画と、高画質動画とが別々の記憶デバイスに記憶させられても良い。例えば、記憶部３６が２つのＳＤカードによって構成されている場合、低画質動画と、高画質動画とは、別々のＳＤカードに記憶させられても良い。また、記憶部３６がＳＤカードと、オンボードフラッシュとによって構成されている場合、低画質動画がオンボードフラッシュに記憶させられて、高画質動画がＳＤカードに記憶させられても良い。
【００４０】
制御部３７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３６に記憶されているプログラムを実行する。
【００４１】
制御部３７は、ＲＯＭまたは記憶部３６に記憶されているプログラムを実行することによって、カメラ３１、３２によって撮影された動画であって画質が低下させられた低画質動画を生成する低画質動画生成手段３７ａ、記憶部３６に低画質動画を記憶させる低画質動画記憶手段３７ｂ、カメラ３１、３２によって撮影された動画であって低画質動画より画質が高い高画質動画を生成する高画質動画生成手段３７ｃ、記憶部３６に高画質動画を記憶させる高画質動画記憶手段３７ｄ、車両１２の運転状況を判定する運転状況判定手段３７ｅ、および、低画質動画を送信するデータ送信手段３７ｆとして機能する。
【００４２】
次に、運転状況記録システム１０の動作について説明する。
【００４３】
まず、一時的な動画を記憶する場合のドライブレコーダー３０の動作について説明する。
【００４４】
図３は、一時的な動画を記憶する場合のドライブレコーダー３０の動作の一例を説明する図である。
【００４５】
ドライブレコーダー３０の制御部３７は、ドライブレコーダー３０が駆動している場合に、常時、図３に示す動作を実行している。
【００４６】
図３に示すように、制御部３７の低画質動画生成手段３７ａは、カメラ３１によって撮影された動画に基づいて低画質動画を生成する。同様に、高画質動画生成手段３７ｃは、カメラ３１によって撮影された動画に基づいて高画質動画を生成する。なお、低画質動画生成手段３７ａによって生成される低画質動画と、高画質動画生成手段３７ｃによって生成される高画質動画とは、互いにフレームレートが異なる。例えば、低画質動画生成手段３７ａは、１０ｆｐｓの低画質動画を生成する。また、高画質動画生成手段３７ｃは、例えば３０ｆｐｓの高画質動画を生成する。
【００４７】
次いで、低画質動画記憶手段３７ｂは、低画質動画生成手段３７ａによって生成された低画質動画を一時的低画質動画３６ａとして記憶部３６に記憶させる。ここで、一時的低画質動画３６ａは、常に最新の一定の時間の動画である。すなわち、一時的低画質動画３６ａは、常に、古い動画が削除されていて、新しい動画が追加されている。
【００４８】
同様に、高画質動画記憶手段３７ｄは、高画質動画生成手段３７ｃによって生成された高画質動画を一時的高画質動画３６ｂとして記憶部３６に記憶させる。
【００４９】
なお、以上においては、カメラ３１によって撮影された動画について説明したが、カメラ３２（図２参照。）によって撮影された動画についても同様に、低画質動画生成手段３７ａおよび低画質動画記憶手段３７ｂによって一時的低画質動画３６ｃ（図２参照。）が記憶部３６に記憶されるとともに、高画質動画生成手段３７ｃおよび高画質動画記憶手段３７ｄによって一時的高画質動画３６ｄ（図２参照。）が記憶部３６に記憶される。
【００５０】
次に、保存用の動画を記憶する場合のドライブレコーダー３０の動作について説明する。
【００５１】
図４は、保存用の動画を記憶する場合のドライブレコーダー３０の動作のフローチャートである。
【００５２】
ドライブレコーダー３０の制御部３７は、ドライブレコーダー３０が駆動している場合に、常時、図４に示す動作を繰り返している。
【００５３】
図４に示すように、制御部３７の運転状況判定手段３７ｅは、車両の運転状況が特定の運転状況であるか否かを判定する（Ｓ６１）。
【００５４】
ここで、特定の運転状況とは、カメラ３１によって撮影された動画と、カメラ３２によって撮影された動画と、Ｇセンサー３３によって検知された衝撃の大きさと、インターフェイス３４によって取得された各種のデータとの少なくとも１つに基づいて判断可能な運転状況である。例えば、特定の運転状況としては、車両が急発進した状況、車両が急ブレーキを実行した状況、車両の前方の車間距離が特定の距離以下になった状況、車両が蛇行運転している状況などが存在する。特定の運転状況は、利用者によって任意に指定されることが可能である。
【００５５】
運転状況判定手段３７ｅは、車両の運転状況が特定の運転状況ではないとＳ６１において判定すると、図４に示す動作を終了する。
【００５６】
低画質動画記憶手段３７ｂは、車両の運転状況が特定の運転状況であるとＳ６１において判定されると、カメラ３１によって撮影された動画であって低画質動画生成手段３７ａによって生成された低画質動画を保存用低画質動画３６ｅとして記憶部３６に記憶させる（Ｓ６２）。ここで、Ｓ６２において記憶部３６に記憶させられる保存用低画質動画３６ｅは、車両の運転状況が特定の運転状況であるとＳ６１において判定された時点を基準時とした特定の期間の動画である。例えば、保存用低画質動画３６ｅは、基準時以前の１２秒間と、基準時直後の８秒間との合計２０秒間の動画である。低画質動画記憶手段３７ｂは、Ｓ６２において記憶部３６に記憶させられる保存用低画質動画３６ｅのうち少なくとも基準時以前の動画について、一時的低画質動画３６ａを使用する。
【００５７】
なお、以上においては、カメラ３１によって撮影された動画について説明したが、カメラ３２によって撮影された動画についても同様に、低画質動画記憶手段３７ｂによって保存用低画質動画３６ｇが記憶部３６に記憶される。
【００５８】
高画質動画記憶手段３７ｄは、Ｓ６２の処理の後、カメラ３１によって撮影された動画であって高画質動画生成手段３７ｃによって生成された高画質動画を保存用高画質動画３６ｆとして記憶部３６に記憶させる（Ｓ６３）。ここで、Ｓ６３において記憶部３６に記憶させられる保存用高画質動画３６ｆは、保存用低画質動画３６ｅと同一の特定の期間の動画である。高画質動画記憶手段３７ｄは、Ｓ６３において記憶部３６に記憶させられる保存用高画質動画３６ｆのうち少なくとも基準時以前の動画について、一時的高画質動画３６ｂを使用する。
【００５９】
なお、以上においては、カメラ３１によって撮影された動画について説明したが、カメラ３２によって撮影された動画についても同様に、高画質動画記憶手段３７ｄによって保存用高画質動画３６ｈが記憶部３６に記憶される。
【００６０】
運転状況判定手段３７ｅは、Ｓ６３の処理の後、図４に示す動作を終了する。
【００６１】
次に、外部にデータを送信する場合のドライブレコーダー３０の動作について説明する。
【００６２】
図５は、外部にデータを送信する場合のドライブレコーダー３０の動作のフローチャートである。
【００６３】
ドライブレコーダー３０の制御部３７は、ドライブレコーダー３０が駆動している場合に、５分毎など、周期的に、図５に示す動作を実行している。
【００６４】
図５に示すように、制御部３７のデータ送信手段３７ｆは、最新の１周期中に保存用低画質動画３６ｅおよび保存用低画質動画３６ｇの少なくとも１つが新たに記憶部３６に記憶させられたか否かを判断する（Ｓ７１）。
【００６５】
データ送信手段３７ｆは、新たに記憶させられていないとＳ７１において判断すると、送信用データを生成する（Ｓ７２）。ここで、Ｓ７２において生成される送信用データは、最新の１周期中の例えば１／１２秒毎などの定期的なタイミングでＧセンサー３３によって検知された衝撃の大きさと、最新の１周期中の例えば１／１２秒毎などの定期的なタイミングでインターフェイス３４によって取得された各種のデータとを含んでいる。
【００６６】
データ送信手段３７ｆは、新たに記憶させられたとＳ７１において判断すると、保存用低画質動画３６ｅおよび保存用低画質動画３６ｇのうち、最新の１周期中に新たに記憶部３６に記憶させられた保存用低画質動画を含めた送信用データを生成する（Ｓ７３）。ここで、Ｓ７３において生成される送信用データは、Ｓ７２において生成される送信用データと同様に、最新の１周期中に定期的なタイミングでＧセンサー３３によって検知された衝撃の大きさと、最新の１周期中に定期的なタイミングでインターフェイス３４によって取得された各種のデータとを含んでいる。
【００６７】
データ送信手段３７ｆは、Ｓ７２またはＳ７３の処理の後、Ｓ７２またはＳ７３において生成した送信用データを３Ｇモジュール３５を介してサーバー２０に送信する（Ｓ７４）。ここで、データ送信手段３７ｆは、今回より前に実行した図５に示す処理によって送信が失敗した送信用データが存在する場合、その送信用データも３Ｇモジュール３５を介してサーバー２０に送信する。
【００６８】
データ送信手段３７ｆは、Ｓ７４の処理の後、図５に示す動作を終了する。
【００６９】
サーバー２０は、ドライブレコーダー３０から送信されてきた送信用データを記憶する。サーバー２０に記憶された送信用データは、例えば、車両１２の運転状況の確認に使用されることができる。
【００７０】
以上に説明したように、ドライブレコーダー３０は、記憶部３６に記憶させる高画質動画、すなわち、保存用高画質動画３６ｆ、３６ｈよりデータのサイズが小さい低画質動画、すなわち、保存用低画質動画３６ｅ、３６ｇを外部に送信する（Ｓ７３およびＳ７４）ので、高画質の動画、すなわち、保存用高画質動画３６ｆ、３６ｈを記憶部３６に記憶させる（Ｓ６３）ことができるとともに、車両１２の運転状況の確認のための動画、すなわち、保存用低画質動画３６ｅ、３６ｇを外部に送信する信頼性を従来より向上することができる。したがって、ドライブレコーダー３０は、車両１２が事故を起こした場合など、極めて詳細な状況の確認が必要である場合には、記憶部３６上の保存用高画質動画３６ｆ、３６ｈによって詳細な状況を利用者に確認させることができるとともに、極めて詳細な状況の確認は不要である場合には、外部に送信する保存用低画質動画３６ｅ、３６ｇによって車両１２の運転状況を利用者に確認させることができる。
【００７１】
ドライブレコーダー３０は、保存用高画質動画３６ｆ、３６ｈよりフレームレートが低い保存用低画質動画３６ｅ、３６ｇを生成するので、保存用低画質動画３６ｅ、３６ｇのデータのサイズを保存用高画質動画３６ｆ、３６ｈのデータのサイズより更に小さくすることができる。したがって、ドライブレコーダー３０は、車両１２の運転状況の確認のための保存用低画質動画３６ｅ、３６ｇを外部に送信する信頼性を更に向上することができる。なお、ドライブレコーダー３０は、保存用高画質動画３６ｆ、３６ｈと同一のフレームレートの保存用低画質動画３６ｅ、３６ｇを生成しても良い。
【００７２】
ドライブレコーダー３０は、特定の運転状況であると判定した場合（Ｓ６１でＹＥＳ）の低画質動画、すなわち、保存用低画質動画３６ｅ、３６ｇを外部に送信する（Ｓ７１でＹＥＳ、Ｓ７３およびＳ７４）ので、車両１２の運転状況が確認されるべき保存用低画質動画３６ｅ、３６ｇを適切に外部に送信することができる。そのため、ドライブレコーダー３０は、外部に送信する保存用低画質動画３６ｅ、３６ｇによる車両１２の運転状況の確認を容易化することができる。
【００７３】
ドライブレコーダー３０は、車両１２の外部の動画のみでなく、車両１２の運転者の動画も外部に送信するので、車両１２の運転状況が特定の運転状況であった場合に車両１２の運転者が携帯端末を操作していたこと、車両１２の運転状況が特定の運転状況であった場合に車両１２の運転者が居眠りしていたことなど、車両１２の運転状況が特定の運転状況であった場合の運転者の様子を、運行管理者などの利用者に確認させることができる。すなわち、ドライブレコーダー３０は、車両１２の運転状況の確認を車両１２の運転者の動画によって容易化することができる。
【００７４】
ドライブレコーダー３０は、記憶部３６に記憶されている高画質動画に基づいて低画質動画を生成するのではなく、カメラ３１、３２によって撮影された動画に基づいて低画質動画を生成するので、低画質動画を生成するために高画質動画を記憶部３６から読み出して画質を変換する必要がない。そのため、ドライブレコーダー３０は、高画質動画を記憶部３６から読み出して画質の変換によって低画質動画を生成する場合と比較して、低機能な構成で実現されることができる。したがって、ドライブレコーダー３０は、製造コストや装置サイズを抑えることができる。
【００７５】
ドライブレコーダー３０は、高画質動画、すなわち、保存用高画質動画３６ｆ、３６ｈのみでなく、低画質動画、すなわち、保存用低画質動画３６ｅ、３６ｇも記憶部３６に記憶させるので、低画質動画を高画質動画のバックアップとして活用することができる。
【００７６】
ドライブレコーダー３０は、送信用データを周期的にサーバー２０に送信するので、送信用データをリアルタイムに近いタイミングでサーバー２０に送信することができる。
【００７７】
なお、ドライブレコーダー３０は、本実施の形態において、３Ｇによってデータの送受信を実行する。しかしながら、ドライブレコーダー３０は、３Ｇ以外の移動通信システムによってデータの送受信を実行しても良い。例えば、ドライブレコーダー３０は、ＬＴＥ（Ｌｏｎｇ  Ｔｅｒｍ  Ｅｖｏｌｕｔｉｏｎ）によってデータの送受信を実行するＬＴＥモジュールや、４Ｇ（第４世代移動通信システム）によってデータの送受信を実行する４Ｇモジュールが３Ｇモジュール３５に代えて装着されても良い。
【００７８】
ドライブレコーダー３０は、本実施の形態において、ドライブレコーダー３０自身の設定に基づいて送信用データを生成し、生成した送信用データをドライブレコーダー３０自身の設定に基づいてサーバー２０に送信するようになっている。しかしながら、ドライブレコーダー３０は、サーバー２０への送信用データの送信をサーバー２０から要求された場合に、サーバー２０からの要求に応じた送信用データを生成し、生成した送信用データをサーバー２０に送信するようになっていても良い。ドライブレコーダー３０は、サーバー２０からの要求に応じた送信用データをサーバー２０に送信するようになっている場合、送信用データに含まれる情報の種類や時期を、サーバー２０側の設定によって柔軟に変更することができる。
【００７９】
（第２の実施の形態）
次に、本発明の第２の実施の形態に係る運転状況記録システムの構成について説明する。
【００８０】
なお、本実施の形態に係る運転状況記録システムの構成のうち、第１の実施の形態に係る運転状況記録システム１０（図１参照。）の構成と同様の構成については、運転状況記録システム１０の構成と同一の符号を付して詳細な説明を省略する。
【００８１】
図６は、本実施の形態に係る運転状況記録システム１１０のブロック図である。
【００８２】
図６に示すように、運転状況記録システム１１０の構成は、運転状況記録システム１０（図１参照。）がサーバー２０（図１参照。）およびドライブレコーダー３０（図１参照。）に代えてサーバー１２０およびドライブレコーダー１３０を備えた構成と同様である。
【００８３】
図７は、ドライブレコーダー１３０のブロック図である。
【００８４】
図７に示すように、ドライブレコーダー１３０の構成は、ドライブレコーダー１３０の外部に送信用データを送信する通信部として、３Ｇモジュール３５（図２参照。）に代えてＷｉ−Ｆｉ（Ｗｉｒｅｌｅｓｓ  Ｆｉｄｅｌｉｔｙ）モジュール１３５がドライブレコーダー３０（図２参照。）に装着された構成と同様である。
【００８５】
また、制御部３７は、ＲＯＭまたは記憶部３６に記憶されているプログラムを実行することによって、低画質動画生成手段３７ａ、低画質動画記憶手段３７ｂ、高画質動画生成手段３７ｃ、高画質動画記憶手段３７ｄ、運転状況判定手段３７ｅおよびデータ送信手段３７ｆとして機能する他、ドライブレコーダー１３０の電源を制御する電源制御手段１３７ａとしても機能する。
【００８６】
次に、運転状況記録システム１１０の動作について説明する。
【００８７】
なお、ドライブレコーダー１３０のデータ送信手段３７ｆは、第１の実施の形態と同様に、周期的に送信用データを生成し続ける。
【００８８】
ドライブレコーダー１３０が外部にデータを送信する場合の動作以外の動作については、第１の実施の形態に係る運転状況記録システム１０の動作と同様であるので、詳細な説明を省略する。
【００８９】
図８は、ドライブレコーダー１３０が外部にデータを送信する場合の運転状況記録システム１１０の動作のシーケンス図である。
【００９０】
図８に示すように、サーバー１２０は、サーバー１２０が所属している無線ＬＡＮ（Ｌｏｃａｌ  Ａｒｅａ  Ｎｅｔｗｏｒｋ）にドライブレコーダー１３０が接続されると、ドライブレコーダー１３０のシリアルナンバーなどの識別情報をドライブレコーダー１３０から取得する（Ｓ１５１）。なお、ドライブレコーダー１３０は、車両１２が会社１１に戻るなどして、無線ＬＡＮの範囲内に入った場合に、Ｗｉ−Ｆｉモジュール１３５によって無線ＬＡＮに接続する。
【００９１】
次いで、サーバー１２０は、Ｓ１５１において取得した識別情報に基づいて、ドライブレコーダー１３０が管理対象のドライブレコーダーであるか否かを判断する（Ｓ１５２）。
【００９２】
サーバー１２０は、管理対象のドライブレコーダーであるとＳ１５２において判断すると、ドライブレコーダー１３０に送信用データの送信を要求する（Ｓ１５３）。ここで、サーバー１２０は、ドライブレコーダー１３０以外のドライブレコーダーから送信用データを受信中である場合、ドライブレコーダー１３０以外のドライブレコーダーから送信用データを受信中ではなくなるまで、Ｓ１５３の処理の実行を待機する。
【００９３】
ドライブレコーダー１３０のデータ送信手段３７ｆは、Ｓ１５３において送信用データの送信が要求されると、未だサーバー１２０に送信されていない送信用データをＷｉ−Ｆｉモジュール１３５を介してサーバー１２０に送信して（Ｓ１５４）、図８に示す動作を終了する。
【００９４】
サーバー１２０は、ドライブレコーダー１３０から送信されてきた送信用データを記憶する。サーバー１２０に記憶された送信用データは、例えば、車両１２の運転状況の確認に使用されることができる。
【００９５】
なお、ドライブレコーダー１３０の電源制御手段１３７ａは、図８に示す動作の途中で車両１２のアクセサリー電源が落とされた場合に、データ送信手段３７ｆによって送信されるべき送信用データが未だ送信されていないとき、ドライブレコーダー１３０の電源を落とすことを待機する。すなわち、電源制御手段１３７ａは、未だ送信されていない送信用データがデータ送信手段３７ｆによって送信された後で、ドライブレコーダー１３０の電源を落とす。一方、電源制御手段１３７ａは、図８に示す動作の途中ではない場合に、車両１２のアクセサリー電源が落とされたとき、ドライブレコーダー１３０の電源を落とす。
【００９６】
以上に説明したように、ドライブレコーダー１３０は、保存用低画質動画３６ｅおよび保存用低画質動画３６ｇの少なくとも１つを含む送信用データを近距離無線通信によって車両１２の外部に送信するので、移動通信システムを利用する必要がない。したがって、ドライブレコーダー１３０は、移動通信システムの利用料がランニングコストとして必要となることを防止することができる。
【００９７】
ドライブレコーダー１３０は、複数の車両のそれぞれに搭載されたドライブレコーダーから同時に低画質動画が送信される場合など、通信の混雑などの原因によって低画質動画の送信がすぐには完了しない場合に、低画質動画の送信の完了前に車両１２のアクセサリー電源が落とされたとしても、ドライブレコーダー１３０自身の電源を落とさないので、低画質動画の送信を完了させることができる。したがって、ドライブレコーダー１３０は、低画質動画を外部に送信する信頼性を向上することができる。
【００９８】
なお、ドライブレコーダー１３０は、本実施の形態において近距離無線通信としてＷｉ−Ｆｉを利用している。しかしながら、ドライブレコーダー１３０は、Ｗｉ−Ｆｉ以外の近距離無線通信を利用しても良い。例えば、ドライブレコーダー１３０は、近距離無線通信としてＢｌｕｅｔｏｏｔｈ（登録商標）を利用しても良い。
【００９９】
ドライブレコーダー１３０は、本実施の形態において、ドライブレコーダー１３０自身の設定に基づいて送信用データを生成するようになっている。しかしながら、ドライブレコーダー１３０は、サーバー１２０への送信用データの送信をサーバー１２０から要求された場合に、サーバー１２０からの要求に応じた送信用データを生成し、生成した送信用データをサーバー１２０に送信するようになっていても良い。ドライブレコーダー１３０は、サーバー１２０からの要求に応じた送信用データをサーバー１２０に送信するようになっている場合、送信用データに含まれる情報の種類や時期を、サーバー１２０側の設定によって柔軟に変更することができる。
【０１００】
また、ドライブレコーダー１３０がサーバー１２０からの要求に応じた送信用データをサーバー１２０に送信するようになっている場合、電源制御手段１３７ａは、次のように動作する。電源制御手段１３７ａは、サーバー１２０への送信用データの送信をサーバー１２０から要求されるか、サーバー１２０への送信用データの送信を待機することをサーバー１２０から要求された場合に、車両１２のアクセサリー電源が落とされたとしても、ドライブレコーダー１３０の電源を落とす命令をサーバー１２０から受信するまで、ドライブレコーダー１３０の電源を落とすことを待機する。ここで、サーバー１２０は、他のドライブレコーダーから送信用データを受信中であるなど、ドライブレコーダー１３０からの送信用データを正常に受信することができない状態である場合に、サーバー１２０への送信用データの送信を待機することをドライブレコーダー１３０に要求し、ドライブレコーダー１３０からの送信用データを正常に受信することができる状態になったとき、サーバー１２０への送信用データの送信をドライブレコーダー１３０に要求する。そして、サーバー１２０は、要求した送信用データをドライブレコーダー１３０から受信した場合に、ドライブレコーダー１３０の電源を落とす命令をドライブレコーダー１３０に送信する。したがって、電源制御手段１３７ａは、サーバー１２０から要求された送信用データがデータ送信手段３７ｆによって送信された後で、ドライブレコーダー１３０の電源を落とすことになる。なお、電源制御手段１３７ａは、サーバー１２０への送信用データの送信をサーバー１２０から要求されてもおらず、サーバー１２０への送信用データの送信を待機することをサーバー１２０から要求されてもいない場合に、車両１２のアクセサリー電源が落とされたとき、ドライブレコーダー１３０の電源を落とす。
【０１０１】
（第３の実施の形態）
次に、本発明の第３の実施の形態に係る運転状況記録システムの構成について説明する。
【０１０２】
なお、本実施の形態に係る運転状況記録システムの構成のうち、第１の実施の形態に係る運転状況記録システム１０（図１参照。）の構成と同様の構成については、運転状況記録システム１０の構成と同一の符号を付して詳細な説明を省略する。
【０１０３】
図９は、本実施の形態に係る運転状況記録システム２１０のブロック図である。
【０１０４】
図９に示すように、運転状況記録システム２１０の構成は、運転状況記録システム１０（図１参照。）がドライブレコーダー３０（図１参照。）に代えてドライブレコーダー２３０を備えるとともに、車両１２の運転者によって携帯される携帯機器２４０を運転状況記録システム１０が備えた構成と同様である。
【０１０５】
携帯機器２４０は、例えば、タブレット、スマートフォンによって構成されている。
【０１０６】
ドライブレコーダー２３０および携帯機器２４０は、車両１２の外部に送信用データを送信するドライブレコーダーシステム２５０を構成している。
【０１０７】
図１０は、ドライブレコーダー２３０のブロック図である。
【０１０８】
図１０に示すように、ドライブレコーダー２３０の構成は、ドライブレコーダー２３０の外部に送信用データを送信する通信部として、３Ｇモジュール３５（図２参照。）に代えてＷｉ−Ｆｉモジュール１３５がドライブレコーダー３０（図２参照。）に装着された構成と同様である。
【０１０９】
図１１は、携帯機器２４０のブロック図である。
【０１１０】
図１１に示すように、携帯機器２４０は、種々の操作が入力されるボタンなどの入力デバイスである操作部２４１と、種々の情報を表示するＬＣＤ（Ｌｉｑｕｉｄ  Ｃｒｙｓｔａｌ  Ｄｉｓｐｌａｙ）などの表示デバイスである表示部２４２と、Ｗｉ−Ｆｉによってドライブレコーダー２３０（図９参照。）などの外部の装置と通信を行う通信デバイスであるＷｉ−Ｆｉ通信部２４３と、３Ｇによってデータの送受信を実行する通信デバイスである３Ｇ通信部２４４と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部２４５と、携帯機器２４０全体を制御する制御部２４６とを備えている。
【０１１１】
記憶部２４５は、車両１２の外部に送信用データを送信するための低画質動画送信プログラムとしてのデータ送信プログラム２４５ａを記憶している。データ送信プログラム２４５ａは、携帯機器２４０の製造段階で携帯機器２４０にインストールされていても良いし、ＳＤカード、ＵＳＢ（Ｕｎｉｖｅｒｓａｌ  Ｓｅｒｉａｌ  Ｂｕｓ）メモリーなどの記憶媒体から携帯機器２４０に追加でインストールされても良いし、インターネットなどのネットワーク上から携帯機器２４０に追加でインストールされても良い。例えば、データ送信プログラム２４５ａは、携帯機器２４０が本来機能として有しているＷｉ−Ｆｉのデザリングを実現するプログラムであっても良い。
【０１１２】
制御部２４６は、例えば、ＣＰＵと、各種のデータを記憶しているＲＯＭと、ＣＰＵの作業領域として用いられるＲＡＭとを備えている。ＣＰＵは、ＲＯＭまたは記憶部２４５に記憶されているプログラムを実行する。
【０１１３】
制御部２４６は、記憶部２４５に記憶されているデータ送信プログラムを実行することによって、ドライブレコーダー２３０によって送信されてきた送信用データをＷｉ−Ｆｉによって車両１２内で受信する携帯機器側受信手段２４６ａ、および、携帯機器側受信手段２４６ａによって受信された送信用データを３Ｇによって車両１２の外部に送信する携帯機器側送信手段２４６ｂとして機能する。
【０１１４】
次に、運転状況記録システム２１０の動作について説明する。
【０１１５】
上述したように、第１の実施の形態に係る運転状況記録システム１０（図１参照。）のドライブレコーダー３０（図１参照。）は、送信用データを５分毎など、周期的にサーバー２０（図１参照。）に送信する。しかしながら、本実施の形態に係る運転状況記録システム２１０においては、ドライブレコーダー２３０は、送信用データを周期的にＷｉ−Ｆｉモジュール１３５を介して携帯機器２４０に送信する。
【０１１６】
そして、携帯機器２４０は、ドライブレコーダー２３０によって送信されてきた送信用データを携帯機器側受信手段２４６ａによってＷｉ−Ｆｉ通信部２４３を介して車両１２内で受信し、携帯機器側受信手段２４６ａによって受信した送信用データを携帯機器側送信手段２４６ｂによって３Ｇ通信部２４４を介して周期的にサーバー２０に送信する。なお、携帯機器側送信手段２４６ｂは、送信用データをサーバー２０に送信する場合に、今回の送信処理より前の送信処理によって送信が失敗した送信用データが存在するとき、その送信用データもサーバー２０に送信する。
【０１１７】
以上に説明したように、ドライブレコーダーシステム２５０は、ドライブレコーダー２３０のため以外の目的でも３Ｇを利用する携帯機器２４０が存在する場合に、ドライブレコーダー２３０専用に３Ｇの利用を通信会社と契約する必要がない。携帯機器２４０は、会社１１との連絡のためなど、ドライブレコーダー２３０のため以外の目的で、車両１２の運転者によって携帯されていることが多い。したがって、ドライブレコーダーシステム２５０は、ドライブレコーダー２３０専用の３Ｇの利用料がランニングコストとして必要となることを防止することができる。
【０１１８】
ドライブレコーダーシステム２５０は、送信用データを周期的にサーバー２０に送信するので、送信用データをリアルタイムに近いタイミングでサーバー２０に送信することができる。
【０１１９】
なお、ドライブレコーダー２３０および携帯機器２４０は、本実施の形態において近距離通信としてＷｉ−Ｆｉを利用している。しかしながら、ドライブレコーダー２３０および携帯機器２４０は、移動通信システム以外の方法による通信であれば、Ｗｉ−Ｆｉ以外の近距離通信を利用しても良い。例えば、ドライブレコーダー２３０および携帯機器２４０は、Ｂｌｕｅｔｏｏｔｈなど、Ｗｉ−Ｆｉ以外の近距離無線通信を利用しても良い。また、ドライブレコーダー２３０および携帯機器２４０は、ＵＳＢケーブルなどのケーブルによって互いに有線通信を実行しても良い。
【０１２０】
また、携帯機器２４０は、本実施の形態において、３Ｇによってデータの送受信を実行する。しかしながら、携帯機器２４０は、３Ｇ以外の移動通信システムによってデータの送受信を実行しても良い。例えば、携帯機器２４０は、ＬＴＥや４Ｇによってデータの送受信を実行しても良い。
【０１２１】
ドライブレコーダー２３０は、本実施の形態において、ドライブレコーダー２３０自身の設定に基づいて送信用データを生成し、生成した送信用データをドライブレコーダー２３０自身の設定に基づいて携帯機器２４０経由でサーバー２０に送信するようになっている。しかしながら、ドライブレコーダー２３０は、サーバー２０への送信用データの送信をサーバー２０から携帯機器２４０経由で要求された場合に、サーバー２０からの要求に応じた送信用データを生成し、生成した送信用データを携帯機器２４０経由でサーバー２０に送信するようになっていても良い。ドライブレコーダー２３０は、サーバー２０からの要求に応じた送信用データをサーバー２０に送信するようになっている場合、送信用データに含まれる情報の種類や時期を、サーバー２０側の設定によって柔軟に変更することができる。
【０１２２】
上述の各実施の形態において、ドライブレコーダーは、記憶部３６に記憶されている高画質動画に基づいて低画質動画を生成するのではなく、カメラ３１、３２によって撮影された動画に基づいて低画質動画を生成する。しかしながら、ドライブレコーダーは、高画質動画を記憶部３６から読み出して画質を変換することによって低画質動画を生成しても良い。
【０１２３】
ドライブレコーダーは、上述の各実施の形態において低画質動画、すなわち、保存用低画質動画３６ｅ、３６ｇを、外部に送信するのみでなく、記憶部３６に記憶させる。しかしながら、ドライブレコーダーは、保存用低画質動画３６ｅ、３６ｇを記憶部３６に記憶させずに外部に送信するのみであっても良い。
【０１２４】
ドライブレコーダーは、上述の各実施の形態においてカメラ３１、３２という２台のカメラを備えている。しかしながら、ドライブレコーダーは、２台以外の台数のカメラを備えていてもよい。例えば、ドライブレコーダーは、カメラ３１のみを備えていても良いし、３台以上のカメラを備えていても良い。
【０１２５】
ドライブレコーダーは、上述の各実施の形態においてカメラ３１、３２を備えている。しかしながら、ドライブレコーダーは、カメラ３１、３２とは別体として構成されていても良い。
【０１２６】
ドライブレコーダーは、上述の各実施の形態において高画質動画生成手段３７ｃを備えている。しかしながら、ドライブレコーダーは、高画質動画がカメラによって撮影された動画の画質のままである場合には、高画質動画生成手段３７ｃを備えていなくても良い。
【０１２７】
サーバーは、上述の各実施の形態において車両１２が所属する会社１１に設置されているが、他の場所に設置されていても良い。例えば、サーバーは、ドライブレコーダーの製造会社が管理している場所に設置されていても良い。
【０１２８】
車両１２は、上述の各実施の形態において業務用であるが、業務用でなくても良い。例えば、車両１２は、家庭用であっても良い。
【符号の説明】
【０１２９】
１２  車両
３０  ドライブレコーダー
３１、３２  カメラ（撮影部）
３５  ３Ｇモジュール（通信部）
３６  記憶部
３６ａ  一時的低画質動画（低画質動画）
３６ｂ  一時的高画質動画（高画質動画）
３６ｃ  一時的低画質動画（低画質動画）
３６ｄ  一時的高画質動画（高画質動画）
３６ｅ  保存用低画質動画（低画質動画）
３６ｆ  保存用高画質動画（高画質動画）
３６ｇ  保存用低画質動画（低画質動画）
３６ｈ  保存用高画質動画（高画質動画）
３７ａ  低画質動画生成手段
３７ｂ  低画質動画記憶手段
３７ｄ  高画質動画記憶手段
３７ｅ  運転状況判定手段
３７ｆ  データ送信手段
１３０  ドライブレコーダー
１３５  Ｗｉ−Ｆｉモジュール（通信部）
１３７ａ  電源制御手段
２３０  ドライブレコーダー
２４０  携帯機器
２４５ａ  データ送信プログラム（低画質動画送信プログラム）
２４６ａ  携帯機器側受信手段
２４６ｂ  携帯機器側送信手段
２５０  ドライブレコーダーシステム
【図１】
0006450583.tif 000002
【図２】
0006450583.tif 000003
【図３】
0006450583.tif 000004
【図４】
0006450583.tif 000005
【図５】
0006450583.tif 000006
【図６】
0006450583.tif 000007
【図７】
0006450583.tif 000008
【図８】
0006450583.tif 000009
【図９】
0006450583.tif 000010
【図１０】
0006450583.tif 000011
【図１１】
0006450583.tif 000012